(57)【特許請求の範囲】
【請求項１】
振動開口板と、マウンティングと、アクチュエータ（５）と、コントローラを有する開口板駆動回路（２〜４）とを備え、前記コントローラが、
駆動周波数を個々に有する複数の測定点の各々で電気駆動パラメータを測定し、
前記測定点における前記パラメータの値に基づいて最適駆動周波数を決定し、かつ、投与量の終了予測を同じく決定する
ように構成される噴霧器において、
前記コントローラが、駆動周波数が異なる２つ以上の測定点の各々でパラメータが測定されるショートスキャンを実施し、かつ、これらの点における駆動パラメータ測定結果に基づいて、より多数の測定点にわたるフルスキャン掃引を実施すべきかどうかを決定するように構成される
ことを特徴とする噴霧器。
【請求項２】
前記ショートスキャンが、５点未満の測定点（ＣＰｔ＃１、ＣＰｔ＃２）を有する、請求項１に記載の噴霧器。
【請求項３】
前記コントローラが、測定結果と許容誤差範囲を比較し、測定結果がその関連する範囲外である場合、フルスキャンが開始されるように構成される、請求項１または２のいずれかに記載の噴霧器。
【請求項４】
前記許容誤差範囲が予め定義される、請求項３に記載の噴霧器。
【請求項５】
前記ショートスキャンが一定の時間間隔で実施される、請求項１から４のいずれかに記載の噴霧器。
【請求項６】
前記時間間隔が１秒未満である、請求項５に記載の噴霧器。
【請求項７】
前記フルスキャンの測定点の範囲が５〜３００点である、請求項１から６のいずれかに記載の噴霧器。
【請求項８】
前記フルスキャンの測定点の範囲が１００〜３００点である、請求項７に記載の噴霧器。
【請求項９】
前記コントローラが、前記ショートスキャン測定点のうちの少なくとも１つのための周波数を前記フルスキャンから動的に決定するように構成される、請求項１から８のいずれかに記載の噴霧器。
【請求項１０】
前記コントローラが、最小駆動電流に対応する周波数値をショートスキャン測定点のための周波数として選択するように構成される、請求項９に記載の噴霧器。
【請求項１１】
前記最小駆動電流が共振周波数に対応するように決定され、また、最小駆動電流を有する前記フルスキャン測定点のための周波数値が、ショートスキャン測定点周波数として使用するために記憶される、請求項１０に記載の噴霧器。
【請求項１２】
前記パラメータが開口板駆動電流である、請求項１から１１のいずれかに記載の噴霧器。
【請求項１３】
前記コントローラが、フルスキャンの間、
複数の繰返しを動的に実施し、
繰返し毎に被測定パラメータと先行する測定点における測定結果とを比較し、投与量の終了および／または最適駆動周波数を決定する
ように構成される、請求項１または１２のいずれかに記載の噴霧器。
【請求項１４】
繰返し毎にパラメータ測定結果の傾斜が解析される、請求項１３に記載の噴霧器。
【請求項１５】
閾値を超える傾斜値が投与量の終了を示す、請求項１４に記載の噴霧器。
【請求項１６】
振動開口板と、マウンティングと、アクチュエータ（５）と、コントローラを有する開口板駆動回路（２〜４）とを備える噴霧器の動作方法であって、前記コントローラが、
駆動周波数を個々に有する複数の測定点の各々で電気駆動パラメータを測定するステップと、
前記測定点における前記パラメータの値に基づいて最適駆動周波数を決定し、かつ、投与量の終了予測を同じく決定するステップと
を含み、
前記コントローラが、駆動周波数が異なる２つ以上の測定点の各々でパラメータが測定されるショートスキャンを実施し、かつ、これらの点における駆動パラメータ測定結果に基づいて、より多数の測定点にわたるフルスキャン掃引を実施すべきかどうかを決定する
方法。
【請求項１７】
前記ショートスキャンが、５点未満の測定点（ＣＰｔ＃１、ＣＰｔ＃２）を有する、請求項１６に記載の方法。
【請求項１８】
前記コントローラが、測定結果と許容誤差範囲を比較し、測定結果がその関連する範囲外である場合、フルスキャンが開始される、請求項１６または１７のいずれかに記載の方法。
【請求項１９】
前記ショートスキャンが、１秒未満であることが好ましい一定の時間間隔で実施される、請求項１６から１８のいずれかに記載の方法。
【請求項２０】
前記フルスキャンの測定点の範囲が５〜３００点である、請求項１６から１９のいずれかに記載の方法。
【請求項２１】
前記コントローラが、前記ショートスキャン測定点のうちの少なくとも１つのための周波数を前記フルスキャンから動的に決定し、かつ、最小駆動電流に対応する周波数値をショートスキャン測定点のための周波数として選択する、請求項１６から２０のいずれかに記載の方法。
【請求項２２】
前記最小駆動電流が共振周波数に対応するように決定され、また、最小駆動電流を有する前記フルスキャン測定点のための周波数値が、ショートスキャン測定点周波数として使用するために記憶される、請求項２１に記載の方法。
【請求項２３】
前記パラメータが開口板駆動電流である、請求項１６から２２のいずれかに記載の方法。
【請求項２４】
前記コントローラが、フルスキャンの間、
複数の繰返しを動的に実施し、かつ、
繰返し毎に被測定パラメータと先行する測定点における測定結果とを比較し、投与量の終了および／または最適駆動周波数を決定する
請求項１６から２３のいずれかに記載の方法。
【請求項２５】
繰返し毎にパラメータ測定結果の傾斜が解析される、請求項２４に記載の方法。
【請求項２６】
閾値を超える傾斜値が投与量の終了を示す、請求項２５に記載の方法。
【請求項２７】
前記フルスキャンの測定点の範囲が１００〜３００点である、請求項２０から２６のいずれかに記載の噴霧器。
【発明の詳細な説明】
【技術分野】
【０００１】
本発明は、薬物をエーロゾル化するための振動開口板を有するエーロゾル発生器すなわち噴霧器に関する。
【背景技術】
【０００２】
噴霧器の例は、ＵＳ６５４６９２７（Ｌｉｔｈｅｒｌａｎｄ）およびＥＰ１５５８３１５（ＰＡＲＩ）に記載されている。これらの開示は、開口板上への液体薬物投与量の終了を予測する技法を含む。これらの技法は、異なる駆動周波数における駆動電流などのパラメータの監視に基づいている。
【０００３】
Ｌｉｔｈｅｒｌａｎｄ文書で教示されている手法は、現在の所望の周波数の検出を含み、所望の周波数は、例えば共振周波数であってもよい。周波数は掃引される変数であり、パラメータが追跡される。この追跡により、所望の駆動周波数の指示が提供される。所望の駆動周波数は、投与量の量が減少すると変化し得る。例えば共振周波数は、負荷状態から無負荷状態にわたって１３５ｋＨｚから１４０ｋＨｚまで変動し得る。Ｌｉｔｈｅｒｌａｎｄの場合、デバイスは、開口板に供給される電力を低減することができ、および／または投与量が終了しつつあることの指示を使用者に提供することができる。
【発明の概要】
【発明が解決しようとする課題】
【０００４】
本発明は、改良型周波数制御の提供を対象としている。詳細には、状態の変化に対するより速い周波数制御応答、噴霧化プロセスに対するより少ない影響、および異なる割合で投薬を吸入する患者と共に使用される場合、投与量の終了の正確な予測に対する改善された能力のうちのいずれか１つまたはすべてを改善することが望ましい。
【課題を解決するための手段】
【０００５】
本発明によれば、振動開口板と、マウンティング(mounting)と、アクチュエータと、コントローラを有する開口板駆動回路とを備え、該コントローラが、
駆動周波数を個々に有する複数の測定点の各々で電気駆動パラメータを測定し、
測定点におけるパラメータの値に基づいて最適駆動周波数を決定し、かつ、投与量の終了予測(end-of-dose prediction)を同じく決定する
ように構成される噴霧器において、
コントローラが、駆動周波数が異なる２つ以上の測定点の各々でパラメータが測定されるショートスキャンを実施し、かつ、これらの点における駆動パラメータ測定結果に基づいて、より多数の測定点にわたるフルスキャン掃引を実施すべきかどうかを決定するように構成される
ことを特徴とする噴霧器が提供される。
【０００６】
一実施形態では、ショートスキャンは、５点未満、好ましくは２点の測定点（ＣＰｔ＃１、ＣＰｔ＃２）を有する。
【０００７】
一実施形態では、コントローラは、測定結果(measurements)と許容誤差範囲を比較し、測定結果がその関連する範囲外である場合、フルスキャンが開始されるように構成される。一実施形態では、許容誤差範囲は予め定義される。
【０００８】
一実施形態では、ショートスキャンは一定の時間間隔で実施される。時間間隔は１秒未満であることが好ましい。
【０００９】
一実施形態では、フルスキャンの測定点の範囲は５〜３００点である。一実施形態では、フルスキャンの測定点の範囲は１００〜３００点である。
【００１０】
一実施形態では、コントローラは、ショートスキャン測定点のうちの少なくとも１つのための周波数をフルスキャンから動的に決定するように構成される。
【００１１】
一実施形態では、コントローラは、最小駆動電流に対応する周波数値をショートスキャン測定点のための周波数として選択するように構成される。前記最小駆動電流は、共振周波数に対応するように決定されることが好ましく、また、最小駆動電流を有するフルスキャン測定点のための周波数値は、ショートスキャン測定点周波数として使用するために記憶されることが好ましい。
【００１２】
一実施形態では、パラメータは開口板駆動電流である。
【００１３】
一実施形態では、コントローラは、フルスキャンの間、
複数の繰返しを動的に実施し、
繰返し毎に被測定パラメータと先行する測定点における測定結果とを比較し、投与量の終了および／または最適駆動周波数を決定する
ように構成される。
【００１４】
一実施形態では、繰返し毎に前記指示を決定するためにパラメータ測定結果の傾斜が解析される。一実施形態では、閾値を超える傾斜値は投与量の終了を示す。
【００１５】
他の態様では、本発明は、振動開口板と、マウンティングと、アクチュエータと、コントローラを有する開口板駆動回路とを備える噴霧器の動作方法であって、コントローラが、
駆動周波数を個々に有する複数の測定点の各々で電気駆動パラメータを測定するステップと、
測定点におけるパラメータの値に基づいて最適駆動周波数を決定し、かつ、投与量の終了予測を同じく決定するステップと
を含み、
コントローラが、駆動周波数が異なる２つ以上の測定点の各々でパラメータが測定されるショートスキャンを実施し、かつ、これらの点における駆動パラメータ測定結果に基づいて、より多数の測定点にわたるフルスキャン掃引を実施すべきかどうかを決定する
方法を提供する。
【００１６】
一実施形態では、ショートスキャンは、５点未満、好ましくは２点の測定点（ＣＰｔ＃１、ＣＰｔ＃２）を有する。
【００１７】
一実施形態では、コントローラは、測定結果と許容誤差範囲を比較し、測定結果がその関連する範囲外である場合、フルスキャンが開始される。
【００１８】
一実施形態では、ショートスキャンは、１秒未満であることが好ましい一定の時間間隔で実施される。フルスキャンの測定点の範囲は、５〜３００点、好ましくは１００〜３００点であることが好ましい。
【００１９】
一実施形態では、コントローラは、ショートスキャン測定点のうちの少なくとも１つのための周波数をフルスキャンから動的に決定し、かつ、最小駆動電流に対応する周波数値をショートスキャン測定点のための周波数として選択する。
【００２０】
一実施形態では、前記最小駆動電流は、共振周波数に対応するように決定され、また、最小駆動電流を有するフルスキャン測定点のための周波数値は、ショートスキャン測定点周波数として使用するために記憶される。
【００２１】
一実施形態では、パラメータは開口板駆動電流である。
【００２２】
一実施形態では、コントローラは、フルスキャンの間、
複数の繰返しを動的に実施し、
繰返し毎に被測定パラメータと先行する測定点における測定結果とを比較し、投与量の終了および／または最適駆動周波数を決定する。
【００２３】
一実施形態では、好ましいことには繰返し毎に前記指示を決定するためにパラメータ測定結果の傾斜が解析され、閾値を超える傾斜値は投与量の終了を示す。
【００２４】
本発明については、単なる一例にすぎないが、添付の図面を参照してなされる本発明のいくつかの実施形態についての以下の説明からより明確に理解されよう。
【図面の簡単な説明】
【００２５】
【図１】本発明の噴霧器駆動回路の線図である。
【図２】フル投与量の終了スキャン(full end-of-dose scan)を実施すべき時期を決定するためのコントローラの動作の流れ図である。
【図３】フル投与量の終了スキャンを示す流れ図である。
【図４】周波数に応じて駆動電流が変化する様子を示すプロットである。
【図５】周波数に応じて駆動電流が変化する様子を示すプロットである。
【図６】周波数に応じて駆動電流が変化する様子を示すプロットである。
【図７】駆動周波数による流量および電流の両方の変化を示すプロットである。
【発明を実施するための形態】
【００２６】
図１を参照すると、噴霧器のための駆動回路１は、噴霧器負荷５に伝達するために必要な電力を提供する出力駆動段２を備えている。フィルタリング段３は、駆動信号から望ましくない電気雑音を除去し、ＥＭＣ要求事項の遵守を保証する。
【００２７】
高電圧共振回路（段４）は、駆動信号を調整して噴霧器負荷５への電力の有効な結合を保証する。
【００２８】
開口板、アクチュエータおよびマウンティングの機械的な構造は、例えば本発明者らの先行する明細書第ＷＯ２０１００３５２５２号およびＵＳ２０１２１１１９７０号で知られているタイプの構造であってもよい。
【００２９】
図１の回路は、噴霧器の最適動作周波数の決定に使用され、また、投与量の終了を積分方式で決定するために同じく使用される共振周波数を実時間で決定するために駆動電流を動的に監視する（共振周波数は共振点および反共振点を意味する）。
ショートスキャン
図２を参照すると、コントローラは、１秒間に複数回にわたってショートスキャンを実施する。これには、正規駆動周波数（Ｃｈｅｃｋｐｏｉｎｔ  ＃１、”ＣＰｔ＃１”）における駆動電流の測定、および開口板への駆動電流の値の測定を含む。電流許容誤差は予め定義される。電流が変化するのは、通常、開口板が濡れた状態から乾いた状態に変化した場合のみである。一度変化が識別されると、フルスキャンが開始される。
【００３０】
ＣＰｔ＃１駆動電流が電流許容誤差外である場合、フルスキャンのためのフラグが設定される。ＣＰｔ＃１駆動電流が電流許容誤差内である場合、周波数が第２の基準周波数に変更される。第２の基準周波数は、フルスキャンに従って決定される。ＣＰｔ＃２周波数のための駆動電流値が決定される。同様に、ＣＰｔ＃２駆動電流が許容誤差外である場合、フルスキャンフラグが設定される。このループは、毎秒複数回にわたって、一定の時間間隔で繰り返される。
【００３１】
ショートスキャンは、ほぼ１秒または１秒未満毎の時間間隔で実施される。ショートスキャンがこの第２の測定点（ＣＰｔ＃２）における電流を測定している間、ショートスキャンが正規の動作周波数から離れるのは、１／１０００秒未満の間にすぎない。これは、噴霧化プロセスに対する認識し得る妨害は存在しないことを保証する。
【００３２】
要約すると、ショートスキャンの目的は、フルスキャンを実施すべきかどうかを決定することである。駆動電流が許容誤差外である場合、最適動作周波数を決定し、かつ、投与量の終了を検出するためにフルスキャンが起動される。ショートスキャンが測定するのは２つの周波数においてのみであるため、そのショートスキャンが噴霧器の動作を妨害することはない。この２つの周波数のうちのいずれかが共振周波数である。ＣＰｔ＃２は共振周波数である。この実施形態では、出力駆動段２は、ある範囲の液体粘性にわたって良好な性能を提供することが分かっている１２８ＫＨｚの周波数のＣＰｔ＃１で駆動する。
【００３３】
他の実施形態では、一度最適駆動周波数が決定されると、それをＣＰｔ＃１のために使用することができる。
フルスキャン
図３を参照すると、フルスキャンを実施するための流れが示されている。周波数は、１４０ｋＨｚと１６０ｋＨｚの間のステップで増分される。ステップサイズは、必要な分解能に応じて変化する。例えば一アプリケーションでは、１つのタイプの噴霧器のみを使用することができ、したがって場合によっては１０ステップのみを使用した単純なスキャンで十分である。しかしながら複数のタイプの噴霧器を使用しているアプリケーションでは、様々なデバイスの濡れた状態と乾いた状態を見分けるためにより高い分解能を得るためには、はるかに多数のステップが必要である。
【００３４】
フルスキャンにおける個々の点で開口板駆動電流が決定される。これにより、図４に示されている駆動電流対周波数のプロットが得られる。傾斜が急峻なセクションは、図４のボックスで示されており、また、図５および図６により詳細に示されている。繰返し毎に電流最大差（すなわち傾斜）が記録される。したがってフルスキャンの間、図３の最初のフェーズで最大差が実時間で記録される。
【００３５】
図３の論理の次のフェーズは、最小駆動電流値（反共振点）を動的に記録することである。個々のループの終了時に、駆動電流がショートスキャンＣＰｔ＃２で記録された駆動電流より小さい場合、対応する周波数と同様、その値が記録される。その電流値がショートスキャンＣＰｔ＃２駆動電流値として記録される。
【００３６】
最後のステップによって示されているように、このスキャンの最初のフェーズで記録された傾斜は、投与量の終了の指示を提供する。
【００３７】
重要なことには、上で説明したように、このスキャンを使用して最適駆動周波数を決定することができる。重要なことには、共振周波数を実時間で決定することにより、噴霧器の動作を最適駆動周波数に変更するための構成可能オプションが得られる。共振周波数は、ショートスキャン測定点のいずれかのために使用することができる。
【００３８】
フルスキャンによるプルーム中のこの視覚中断が継続するのは０．３秒にすぎない。これによるデバイスの動作に対する影響は無視することができる。
【００３９】
開口板のエネルギー要求事項は、エーロゾル化中の板によって提供されるインピーダンスに正比例する。板のインピーダンスは、電圧、電流または位相差、および上記実施形態では駆動電流などの１つまたは複数の電気特性を監視することによって測定される。
【００４０】
エーロゾル化に対する板のインピーダンスは、初期駆動周波数（ＣＰｔ＃１）で監視され、エネルギー要求事項は、振動メッシュ噴霧器を適切に動作させるために必要な限界内になるように決定することができ、その点で、この周波数で駆動動作を継続することができる。
【００４１】
別法としては、駆動回路の動作周波数を調整して圧電素子のための最適動作点を決定することも可能である。これは、最少エネルギー消費（またはこの埋合わせ）が生じる反共振点（ＣＰｔ＃２周波数）であってもよい。
【００４２】
エネルギー消費が最大になる、反共振点を超えるより高い周波数が存在し、この点は共振点と呼ばれる。
【００４３】
これらの点を使用して、エーロゾル化された液体の所望の流れを生成するための最適動作周波数を決定することができる。共振点で駆動しないことが望ましい機械的な理由があり、例えば共振点は、噴霧器の所望の流量または所望の粒子サイズをもたらすことができず、あるいは開口板に過度の機械的応力をもたらすことがある。
【００４４】
図７を参照すると、フルスキャン方法によって収集された電気パラメータの詳細を利用して最適駆動周波数を決定することができる。反共振点（電流が最小化される）および共振点（電流が最大化される）の決定を使用して最適駆動周波数を選択することができる。
【００４５】
共振点は最大流量を提供することができるが、この周波数は、機械的な構造に望ましくない応力をもたらすことがある。また、共振点のランタイム変化も、この共振点における流量の望ましくない変動をもたらすことがある。同様に、反共振点では流量が十分ではないことがあるため、反共振点の使用も場合によっては望ましくないことがある。最適周波数はこれらの２つの点の間に存在し、最終周波数は、これらの２つの点のうちの一方または両方の固定オフセットであってもよい。
【００４６】
図７の場合、典型的には、動作周波数が約１４１ｋＨｚと１５０ｋＨｚの間の直線部分から選択される事例であってもよい。
【００４７】
エーロゾル化の状態（濡れた状態／乾いた状態）は、反共振点と共振点（またはそのオフセット）の間の板インピーダンスの変化速度を監視することによって決定することができることは理解されよう。これは、２つの共振周波数の間のインピーダンスの正の最大変化速度を決定することによって実施される。速度の急激な変化あるいは突然の変化は、板の上に液体が存在しない（乾いている）ことを示す。平らな／穏やかな変化速度は、液体が存在している（濡れている）ことを示す。
【００４８】
別法としては、初期周波数および／または共振（ＣＰｔ＃２）周波数における板のインピーダンスの突然の変化を、エーロゾル化状態の可能な変化を示す（ショートスキャンで）ための迅速な方法として使用することも可能である。これは、投与量の終了を実際に決定するためのフルスキャンをトリガすることである。
【００４９】
また、ショートスキャンは、実時間制御のためのはるかに有効な情報を提供するが、エーロゾル化における眼に見える中断の原因にはならないことも同じく理解されよう。ショートスキャンは、液体のエーロゾル化における眼に見える中断の原因になり得るフルスキャンに先立って実施される。
【００５０】
要約すると、噴霧器の状態を決定するためにコントローラによって実施されるソフトウェア手順は以下の通りである。
【００５１】
−  １秒間に複数回にわたってソフトウェアがショートスキャン（図２）を実施し、駆動電流の変化が生じたかどうかを決定する。
【００５２】
−  駆動電流のこの変化は、反共振周波数および／または状態変化が生じ、したがってフルスキャン（図３）が必要であることを示すことができる。
【００５３】
−  フルスキャンが終了すると、噴霧器の状態が更新される。（濡れている、あるいは乾いている）
いくつかの実施形態では、コントローラは、所定の時間（さらに５秒などの）後にフルスキャンを開始することができる。この追加スキャンの目的は、デバイスが新しい状態で５秒を経過した後の最大傾斜を記録することである。デバイスの状態が変化すると、電流／傾斜プロファイルがほぼ瞬時に変化する。しかしながらさらに数秒が経過すると、この新しいプロファイルは、板の機械的な構造の変化のため、噴霧器がより長い時間期間にわたって維持する値にさらに少しだけ変化することになる。監視するための適切な周波数の詳細をショートスキャンが有していることを保証するためには、この安定値を決定することが重要である。ショートスキャンによって（あるいは定義済みの期間、例えば５秒で）督促される場合、定義済みフルスキャンの目的は、これらの２つの点は、正規のランモードの間、わずかに変動してもよいため、速やかなスキャンのためにチェックポイントを更新することであってもよい。
【００５４】
ショートスキャンは、正規動作周波数および他の１点における電流消費を時間間隔毎（１秒または１秒未満毎）にチェックする。これらの２つの周波数のいずれかで変化が見出されると、コントローラは、状態の可能な変化を示すフラグ（つまりデバイスが濡れた状態から乾いた状態に、あるいは乾いた状態から濡れた状態に変化した可能性があることを示すフラグ）を立てる。この変化はフルスキャンを呼び出すことになる。
【００５５】
一実施形態では、フルスキャンの場合、アルゴリズムは、個々の周波数ステップにおける駆動電流の傾斜／差を計算する。アルゴリズムは、周波数をステップスルーする際に電流を測定し、次に、回転シフトレジスタを使用して、その前に１６の周波数ステップで取得された電流測定結果を減算する。
【００５６】
本発明は、上で説明した実施形態に限定されず、構造および細部を変更することができる。
以上説明したように、本発明は以下の形態を有する。
［形態１］
振動開口板と、マウンティングと、アクチュエータ（５）と、コントローラを有する開口板駆動回路（２〜４）とを備え、前記コントローラが、
駆動周波数を個々に有する複数の測定点の各々で電気駆動パラメータを測定し、
前記測定点における前記パラメータの値に基づいて最適駆動周波数を決定し、かつ、投与量の終了予測を同じく決定する
ように構成される噴霧器において、
前記コントローラが、駆動周波数が異なる２つ以上の測定点の各々でパラメータが測定されるショートスキャンを実施し、かつ、これらの点における駆動パラメータ測定結果に基づいて、より多数の測定点にわたるフルスキャン掃引を実施すべきかどうかを決定するように構成される
ことを特徴とする噴霧器。
［形態２］
前記ショートスキャンが、５点未満、好ましくは２点の測定点（ＣＰｔ＃１、ＣＰｔ＃２）を有する、形態１に記載の噴霧器。
［形態３］
前記コントローラが、測定結果と許容誤差範囲を比較し、測定結果がその関連する範囲外である場合、フルスキャンが開始されるように構成される、形態１または２のいずれかに記載の噴霧器。
［形態４］
前記許容誤差範囲が予め定義される、形態３に記載の噴霧器。
［形態５］
前記ショートスキャンが一定の時間間隔で実施される、形態１から４のいずれかに記載の噴霧器。
［形態６］
前記時間間隔が１秒未満である、形態５に記載の噴霧器。
［形態７］
前記フルスキャンの測定点の範囲が５〜３００点である、形態１から６のいずれかに記載の噴霧器。
［形態８］
前記フルスキャンの測定点の範囲が１００〜３００点である、形態７に記載の噴霧器。
［形態９］
前記コントローラが、前記ショートスキャン測定点のうちの少なくとも１つのための周波数を前記フルスキャンから動的に決定するように構成される、形態１から８のいずれかに記載の噴霧器。
［形態１０］
前記コントローラが、最小駆動電流に対応する周波数値をショートスキャン測定点のための周波数として選択するように構成される、形態９に記載の噴霧器。
［形態１１］
前記最小駆動電流が共振周波数に対応するように決定され、また、最小駆動電流を有する前記フルスキャン測定点のための周波数値が、ショートスキャン測定点周波数として使用するために記憶される、形態１０に記載の噴霧器。
［形態１２］
前記パラメータが開口板駆動電流である、形態１から１１のいずれかに記載の噴霧器。
［形態１３］
前記コントローラが、フルスキャンの間、
複数の繰返しを動的に実施し、
繰返し毎に被測定パラメータと先行する測定点における測定結果とを比較し、投与量の終了および／または最適駆動周波数を決定する
ように構成される、形態１または１２のいずれかに記載の噴霧器。
［形態１４］
繰返し毎に前記指示を決定するためにパラメータ測定結果の傾斜が解析される、形態１３に記載の噴霧器。
［形態１５］
閾値を超える傾斜値が投与量の終了を示す、形態１４に記載の噴霧器。
［形態１６］
振動開口板と、マウンティングと、アクチュエータ（５）と、コントローラを有する開口板駆動回路（２〜４）とを備える噴霧器の動作方法であって、前記コントローラが、
駆動周波数を個々に有する複数の測定点の各々で電気駆動パラメータを測定するステップと、
前記測定点における前記パラメータの値に基づいて最適駆動周波数を決定し、かつ、投与量の終了予測を同じく決定するステップと
を含み、
前記コントローラが、駆動周波数が異なる２つ以上の測定点の各々でパラメータが測定されるショートスキャンを実施し、かつ、これらの点における駆動パラメータ測定結果に基づいて、より多数の測定点にわたるフルスキャン掃引を実施すべきかどうかを決定する
方法。
［形態１７］
前記ショートスキャンが、５点未満、好ましくは２点の測定点（ＣＰｔ＃１、ＣＰｔ＃２）を有する、形態１６に記載の方法。
［形態１８］
前記コントローラが、測定結果と許容誤差範囲を比較し、測定結果がその関連する範囲外である場合、フルスキャンが開始される、形態１６または１７のいずれかに記載の方法。
［形態１９］
前記ショートスキャンが、１秒未満であることが好ましい一定の時間間隔で実施される、形態１６から１８のいずれかに記載の方法。
［形態２０］
前記フルスキャンの測定点の範囲が５〜３００点であり、好ましくは１００〜３００点である、形態１６から１９のいずれかに記載の方法。
［形態２１］
前記コントローラが、前記ショートスキャン測定点のうちの少なくとも１つのための周波数を前記フルスキャンから動的に決定し、かつ、最小駆動電流に対応する周波数値をショートスキャン測定点のための周波数として選択する、形態１６から２０のいずれかに記載の方法。
［形態２２］
前記最小駆動電流が共振周波数に対応するように決定され、また、最小駆動電流を有する前記フルスキャン測定点のための周波数値が、ショートスキャン測定点周波数として使用するために記憶される、形態２１に記載の方法。
［形態２３］
前記パラメータが開口板駆動電流である、形態１６から２２のいずれかに記載の方法。
［形態２４］
前記コントローラが、フルスキャンの間、
複数の繰返しを動的に実施し、かつ、
繰返し毎に被測定パラメータと先行する測定点における測定結果とを比較し、投与量の終了および／または最適駆動周波数を決定する
形態１６から２３のいずれかに記載の方法。
［形態２５］
繰返し毎に前記指示を決定するためにパラメータ測定結果の傾斜が解析される、形態２４に記載の方法。
［形態２６］
閾値を超える傾斜値が投与量の終了を示す、形態２５に記載の方法。
【図１】
0006434973.tif 000002
【図２】
0006434973.tif 000003
【図３】
0006434973.tif 000004
【図４】
0006434973.tif 000005
【図５】
0006434973.tif 000006
【図６】
0006434973.tif 000007
【図７】
0006434973.tif 000008